(57)【要約】【課題】画像データに動画像データの位置情報を含む２次元コードを合成することで、その画像データの印刷物を読み取った際、２次元コードに含まれる位置情報から動画像データを受信し、再生することが可能な情報処理端末等を提供する。【解決手段】情報処理端末は、ステップＳ１〜Ｓ４で、画像データ及び動画像データを選択し、ステップＳ５〜Ｓ７で、選択された動画像データを動画像サーバにアップロードし、動画像サーバから受信した動画像データの位置情報を含む２次元コードを生成する。ステップＳ８で、選択された画像データに２次元コードを合成し、ステップＳ１０で、２次元コードが合成された画像データを画像出力受付端末に送信する。【選択図】図５
2016062218.tif 000002
【特許請求の範囲】
【請求項１】
画像データの印刷を受け付ける画像出力受付端末と通信接続される情報処理端末であって、
画像データ及び動画像データを選択する手段と、
選択された前記動画像データの位置情報を含む２次元コードを生成する手段と、
選択された前記画像データに前記２次元コードを合成する手段と、
合成された前記画像データを、前記画像出力受付端末に送信する手段と、
を備えることを特徴とする情報処理端末。
【請求項２】
選択された前記動画像データを、ネットワークを介して接続される動画像サーバへ保存させる手段、を更に備え、
前記動画像データの位置情報は、前記動画像サーバにおける前記動画像データの保存位置である
ことを特徴とする請求項1に記載の情報処理端末。
【請求項３】
前記動画像データを、ネットワークを介して接続される動画像サーバから取得する手段、を更に備え、
前記動画像データの位置情報は、前記動画像サーバにおける前記動画像データの保存位置である
ことを特徴とする請求項１に記載の情報処理端末。
【請求項４】
前記画像出力受付端末が前記画像データを印刷した印刷物の前記２次元コードを読み取る手段と、
前記２次元コードに含まれる前記動画像データの位置情報に基づいて、前記動画像データを取得し、再生する手段と、
を更に備えることを特徴とする請求項１乃至請求項３のいずれか１項に記載の情報処理端末。
【請求項５】
前記画像データは、前記動画像データを構成するフレームから取得した前記画像データである
ことを特徴とする請求項１乃至請求項４のいずれか１項に記載の情報処理端末。
【請求項６】
画像データの印刷を受け付ける画像出力受付端末と通信接続される情報処理端末で行う情報処理方法であって、
画像データ及び動画像データを選択するステップと、
選択された前記動画像データの位置情報を含む２次元コードを生成するステップと、
選択された前記画像データに前記２次元コードを合成するステップと、
合成された前記画像データを、前記画像出力受付端末に送信するステップと、
を含むことを特徴とする情報処理方法。
【請求項７】
コンピュータを、画像データの印刷を受け付ける画像出力受付端末と通信接続される情報処理端末として機能させるためのプログラムであって、
前記コンピュータを、
前記データ及び動画像データを選択する手段、
選択された前記動画像データの位置情報を含む２次元コードを生成する手段、
選択された前記画像データに前記２次元コードを合成する手段、
合成された前記画像データを、前記画像出力受付端末に送信する手段、
として機能させるためのプログラム。
【請求項８】
動画像を保存する動画像サーバとネットワークを介して接続された情報処理端末と、画像データの印刷を受け付ける画像出力受付端末とが、通信接続される画像出力システムであって、
前記情報処理端末は、
画像データ及び動画像データを選択する手段と、
選択された前記動画像データの位置情報を含む２次元コードを生成する手段と、
選択された前記画像データに前記２次元コードを合成する手段と、
合成された前記画像データを、前記画像出力受付端末に送信する手段と、
を備え、
前記画像出力受付端末は、
受信した前記画像データを印刷して印刷物を出力する手段
を備えることを特徴とする画像出力システム。
【請求項９】
前記動画像サーバとネットワークを介して第２の情報処理端末が更に接続され、
前記第２の情報処理端末は、
前記印刷物の前記２次元コードを読み取る手段と、
前記２次元コードに含まれる前記動画像データの位置情報に基づいて、前記動画像サーバから前記動画像データを取得し、再生する手段と、
を備えることを特徴とする請求項８に記載の画像出力システム。
【請求項１０】
動画像データを保存する動画像サーバとネットワークを介して接続される情報処理端末であって、
動画像データの位置情報を含む２次元コードが印刷された印刷物から、２次元コードを読み取る手段と、
前記２次元コードに含まれる前記動画像データの位置情報に基づいて、前記動画像サーバから前記動画像データを取得し、再生する手段と、
を備えることを特徴とする情報処理端末。
【発明の詳細な説明】
【技術分野】
【０００１】
本発明は、画像データと紐付けた動画像データを、画像データを印刷した印刷物を介して閲覧できるようにする技術に関する。
【背景技術】
【０００２】
近年、ユーザが所有する携帯端末等で撮影した画像データを簡単に印刷するプリントシステムが広く普及している。ユーザは、プリントシステムを操作することにより、携帯端末等で撮影した画像データを印刷して印刷物とすることができる。また、印刷物を第三者に提供することができる。
【０００３】
また、携帯端末等で画像データの他に動画像データも撮影することができるが、動画像データを印刷して印刷物とすることは困難であり、また、動画像データを興味のある第三者に適切に提供して閲覧させることは困難である。
【０００４】
これに関して、特許文献１には、プリントシステム（画像出力受付端末）において、画像データ及び添付データを選択させ、選択された添付データを保管サーバに記憶させ、保管場所に関するデータをコード化して電子透かしとして画像データに埋め込んで、印刷する発明が開示されている。
【先行技術文献】
【特許文献】
【０００５】
【特許文献１】特開２０１３−５５５２０号公報
【発明の概要】
【発明が解決しようとする課題】
【０００６】
前述のように、携帯端末等で撮影した動画像データを、興味のある第三者に提供して閲覧させることは困難であるという課題がある。
【０００７】
また、特許文献１に記載の技術では、携帯端末等のユーザが、プリントシステムまで出向いて操作を行わなければならないという課題がある。また、プリントシステムのソフトウェアを前述のような動作を行うように変更しなくてはならないという課題がある。
【０００８】
本発明は、前述した問題点に鑑みてなされたもので、その目的とすることは、情報処理端末（携帯端末等）において、動画像データと紐付けたい画像データに、動画像データの位置情報を合成し、他の情報処理端末等において、画像データを印刷した印刷物から取得した位置情報から、動画像データを取得し再生する技術を提供することを目的とする。
【課題を解決するための手段】
【０００９】
前述した目的を達成するために、第１の発明は、画像データの印刷を受け付ける画像出力受付端末と通信接続される情報処理端末であって、画像データ及び動画像データを選択する手段と、選択された前記動画像データの位置情報を含む２次元コードを生成する手段と、選択された前記画像データに前記２次元コードを合成する手段と、合成された前記画像データを、前記画像出力受付端末に送信する手段と、を備えることを特徴とする情報処理端末である。
第１の発明によって、紐付けたい動画像データの位置情報を含む２次元コードを合成した画像データを、画像出力受付端末に送信して、印刷させることができる。したがって、印刷物を取得した端末のユーザは、２次元コードに含まれる動画像の位置情報から、動画像データを取得し、再生することができる。
【００１０】
選択された前記動画像データを、ネットワークを介して接続される動画像サーバへ保存させる手段、を更に備え、前記動画像データの位置情報は、前記動画像サーバにおける前記動画像データの保存位置であることが望ましい。
これにより、画像データと紐付けたい動画像データを、情報処理端末に記憶されているものから選択して、動画像サーバに保存させ、その位置情報を、画像データに合成することができる。
【００１１】
前記動画像データを、ネットワークを介して接続される動画像サーバから取得する手段、を更に備え、前記動画像データの位置情報は、前記動画像サーバにおける前記動画像データの保存位置であることが望ましい。
これにより、画像データと紐付けたい動画像データを、動画像サーバに記憶されているものから選択して、その位置情報を、画像データに合成することができる。
【００１２】
前記画像出力受付端末が前記画像データを印刷した印刷物の前記２次元コードを読み取る手段と、前記２次元コードに含まれる前記動画像データの位置情報に基づいて、前記動画像データを取得し、再生する手段と、を更に備えることが望ましい。
これにより、印刷物を取得した情報処理端末のユーザは、２次元コードに含まれる動画像の位置情報から、動画像データを取得し、再生することができる。
【００１３】
前記画像データは、前記動画像データを構成するフレームから取得した前記画像データであることが望ましい。
これにより、動画像データから取得した画像データを用いて印刷物を作成することができる。
【００１４】
第２の発明は、画像データの印刷を受け付ける画像出力受付端末と通信接続される情報処理端末で行う情報処理方法であって、画像データ及び動画像データを選択するステップと、選択された前記動画像データの位置情報を含む２次元コードを生成するステップと、選択された前記画像データに前記２次元コードを合成するステップと、合成された前記画像データを、前記画像出力受付端末に送信するステップと、を含むことを特徴とする情報処理方法である。
第２の発明によって、紐付けたい動画像データの位置情報を含む２次元コードを合成した画像データを、画像出力受付端末に送信して、印刷させることができる。したがって、印刷物を取得した端末のユーザは、２次元コードに含まれる動画像の位置情報から、動画像データを取得し、再生することができる。
【００１５】
第３の発明は、コンピュータを、画像データの印刷を受け付ける画像出力受付端末と通信接続される情報処理端末として機能させるためのプログラムであって、
前記コンピュータを、前記データ及び動画像データを選択する手段、選択された前記動画像データの位置情報を含む２次元コードを生成する手段、選択された前記画像データに前記２次元コードを合成する手段、合成された前記画像データを、前記画像出力受付端末に送信する手段、として機能させるためのプログラ
である。
第３の発明に係るプログラムをコンピュータにインストールすることにより、第１の発明に係る情報処理端末を得て、第２の発明に係る情報処理方法を実行することができる。
【００１６】
第４の発明は、動画像を保存する動画像サーバとネットワークを介して接続された情報処理端末と、画像データの印刷を受け付ける画像出力受付端末とが、通信接続される画像出力システムであって、前記情報処理端末は、画像データ及び動画像データを選択する手段と、選択された前記動画像データの位置情報を含む２次元コードを生成する手段と、選択された前記画像データに前記２次元コードを合成する手段と、合成された前記画像データを、前記画像出力受付端末に送信する手段と、を備え、前記画像出力受付端末は、受信した前記画像データを印刷して印刷物を出力する手段を備えることを特徴とする画像出力システムである。
第４の発明によって、情報処理端末は、紐付けたい動画像データの位置情報を含む２次元コードを合成した画像データを、画像出力受付端末に送信し、画像出力受付端末は、受信した画像データを印刷して印刷物とすることができる。したがって、印刷物を取得した端末のユーザは、２次元コードに含まれる動画像の位置情報から、動画像データを取得し、再生することができる。
【００１７】
前記動画像サーバとネットワークを介して第２の情報処理端末が更に接続され、前記第２の情報処理端末は、前記印刷物の前記２次元コードを読み取る手段と、前記２次元コードに含まれる前記動画像データの位置情報に基づいて、前記動画像サーバから前記動画像データを取得し、再生する手段と、を備えることが望ましい。
これにより、印刷物を取得した第２の情報処理端末は、２次元コードに含まれる動画像の位置情報から、動画像データを取得し、再生することができる。したがって、情報処理端末のユーザは、印刷物を介して、第２の情報処理端末のユーザに、動画像データを閲覧させることができる。
【００１８】
第５の発明は、動画像データを保存する動画像サーバとネットワークを介して接続される情報処理端末であって、動画像データの位置情報を含む２次元コードが印刷された印刷物から、２次元コードを読み取る手段と、前記２次元コードに含まれる前記動画像データの位置情報に基づいて、前記動画像サーバから前記動画像データを取得し、再生する手段と、を備えることを特徴とする情報処理端末である。
第５の発明によって、印刷物を取得した情報処理端末のユーザは、２次元コードに含まれる動画像の位置情報から、動画像データを取得し、再生することができる。
【発明の効果】
【００１９】
本発明により、情報処理端末において、動画像データと紐付けたい画像データに、動画像データの位置情報を合成し、他の情報処理端末において、画像データを印刷した印刷物から取得した位置情報から、動画像データを取得し再生することができる。したがって、情報処理端末のユーザは、画像データの印刷された印刷物に興味のもった他の情報処理端末のユーザに、動画像データを閲覧させることができる。
【図面の簡単な説明】
【００２０】
【図１】本発明の第１の実施の形態に係る画像処理システムの構成例を示す図である。
【図２】画像出力受付端末の外観斜視図である。
【図３】画像出力受付端末のハードウエアの構成例を示す図である。
【図４】情報処理端末のハードウエアの構成例を示す図である。
【図５】第１の実施の形態の画像出力システムの処理を説明するフローチャートである。
【図６】プリント画像選択画面の表示例を示す図である。
【図７】動画像選択画面の表示例を示す図である。
【図８】情報処理端末の処理を説明するフローチャートである。
【図９】印刷物から２次元コードを読み取り、動画像データを取得し再生する例を示す図
【図１０】第２の実施の形態の画像出力システムの処理を説明するフローチャートである。
【発明を実施するための形態】
【００２１】
以下、図面に基づいて、本発明の実施形態を詳細に説明する。
【００２２】
［第１の実施の形態］
（画像出力システムの構成）
図１は、本発明の実施の形態としての画像出力システムの構成例を示す図である。
【００２３】
図１に示すように、画像出力システム１は、画像出力受付端末２、情報処理端末３、動画像サーバ４が、ネットワーク５を介して相互に接続されることで構成される。なお、画像出力受付端末２、情報処理端末３、および動画像サーバ４の数は、任意であり、それぞれ複数設けることも可能である。
【００２４】
画像出力受付端末２は、情報処理端末３に記憶されている画像データの印刷注文を受け付けて印刷を行い、印刷物６を提供する端末である。
【００２５】
情報処理端末３は、例えば、スマートフォン、カメラ付き携帯電話機、タブレット端末、携帯型パーソナルコンピュータ、携帯型ゲーム機等である。
【００２６】
情報処理端末３は、撮影した画像データの中から、ユーザによって、プリントする画像データの選択を受け付け、更にプリントする画像データに紐付ける動画像データの選択を受け付ける。そして、情報処理端末３は、動画像データの位置情報（例えば、URL（Uniform Resource Locator））を含む２次元コード（例えば、ＱＲコード（登録商標））を画像データに合成し、合成した画像データを、ネットワーク５を介して画像出力受付端末２に送信し、印刷注文する。
ここで、動画像データの位置情報は、動画像データを動画像サーバへ保存させた際の位置情報、又は、動画像サーバから動画像データを取得した際の位置情報である。
【００２７】
また、情報処理端末３は、印刷物６上に印刷されている２次元コードを内蔵のデジタルカメラで撮影し、２次元コードの内容（ＵＲＬ）を読み取る。情報処理端末３は、読み取った２次元コードに含まれる位置情報（ＵＲＬ）に基づいて、ネットワーク５を介して動画像サーバ４にアクセスし、動画像データを受信し、再生する。
【００２８】
動画像サーバ４は、例えば、コンピュータ等であり、動画像データを保存するデータベースとして機能する。動画像サーバ４は、動画像データの保存場所である位置情報（ＵＲＬ）を、ネットワーク５を介して情報処理端末３に送信する。
【００２９】
ネットワーク５は、インターネットやローカルエリアネットワーク（ＬＡＮ）等のネットワークであり、有線、無線は特に問わない。
【００３０】
（画像出力受付端末の構成）
図２は、本発明の実施の形態に係る画像出力受付端末２の外観斜視図である。
【００３１】
画像出力受付端末２の上部正面には、タッチパネル付ディスプレイ１１が配置されている。タッチパネル付ディスプレイ１１は、操作の案内、操作の状況、読み込んだ画像データ等を表示するとともに、ユーザからの指示を受け付ける。ユーザは、タッチパネル付ディスプレイ１１を介して、印刷注文する画像データの選択、画像データの画像処理の指示等を行う。
【００３２】
タッチパネル付ディスプレイ１１の下部には、メディア投入口１２および通信口１３が設けられている。メディア投入口１２は、各メディアの挿入口であり、複数の挿入口が１箇所にまとめて配置されている。通信口１３は、各携帯端末と通信を行うための通信ポートであり、複数の通信ポート（赤外線ポートやUSB（Universal Serial Bus）ポートなど）が１箇所にまとめて配置されている。
【００３３】
画像出力受付端末２の下段部の前面板１４には、レシート取出口１５、硬貨投入口１６および紙幣挿入口１７のような料金投入口、つり銭返却口１８、印刷物取出口１９、ドア開閉キー２０、メンテナンスキー２１等が設けられている。
【００３４】
レシート取出口１５、硬貨投入口１６、紙幣挿入口１７、つり銭返却口１８は、ユーザによる印刷物の注文内容に応じた入金を要求する課金手段として機能する。ユーザは、硬貨投入口１６に硬貨を投入したり、紙幣挿入口１７に紙幣を挿入したりすることにより、印刷物の料金を支払う。つり銭がある場合には、つり銭返却口１８から放出される。また、料金徴収後、徴収金額や注文内容等が印刷されたレシートがレシート取出口１５から放出される。
【００３５】
印刷物取出口１９には、画像出力受付端末２の筐体内に設置されるプリンタにより印刷された印刷物６が排出される。ドア開閉キー２０は、画像出力受付端末２の前面板１４を開閉するためのキーである。メンテナンスキー２１は、ユーザが画像出力受付端末２を利用可能な運転モードと、管理者が画像出力受付端末２のメンテナンスや設定、レシートの再印刷等を行う管理モードを切り替えるためのキーである。
【００３６】
次に、画像出力受付端末２の基本的動作について説明する。
【００３７】
画像出力受付端末２は、情報処理端末３や図示せぬ記憶媒体から読み込んだ画像データを液晶ディスプレイ等のタッチパネル付ディスプレイ１１に表示する。
ユーザは、タッチパネル付ディスプレイ１１に表示された案内画面に従って、情報処理端末３や記憶媒体等から読み込んだ画像の中から印刷注文する画像を選択する。
【００３８】
本実施の形態において、印刷注文の内容には、「通常印刷」と「フォトブック」の２種類がある。「通常印刷」は、熱転写方式などで片面または両面に印画した用紙を出力する（通常の画像印刷を行う）ものである。「フォトブック」は、画像やテキストを熱転写方式などで片面または両面に印画した複数の用紙を用いて製本を行い、製本物を出力（提供）するものである。
【００３９】
ユーザは、タッチパネル付ディスプレイ１１に表示された画面上で、印刷注文する画像を選択した後、印刷の実行を指示すると、画像出力受付端末１内のコンピュータが内部プリンタに画像データを転送する。
【００４０】
画像出力受付端末２は、ユーザに印刷物の印刷注文に応じた料金を算出、表示し、必要に応じてレシートプリンタによりレシート（引換券）を発行し、ユーザに支払いを要求する。画像出力受付端末２は、課金手段によりユーザの入金が完了すると、印刷データの印刷を開始する。印刷された印刷物６は、印刷物取出口１９から排出され、ユーザに提供される。
【００４１】
また画像出力受付端末１は、「フォトブック」を作成する場合、印刷された印刷物６を内部製本機に搬送し、印刷物を所定の製本方法で製本する。製本されたフォトブックは、図示せぬフォトブック取出口から排出され、利用者に提供される。
【００４２】
なお、画像出力受付端末２は、料金算出、レシート（引換券）の発行を行うだけでなく、課金機を装備しているため、ユーザに入金を要求して現金による課金処理を行うようにすることもできる。
【００４３】
図３は、画像出力受付端末２のハードウエアの構成例を示すブロック図である。
【００４４】
コンピュータ３０は、制御部３１、記憶部３２、入出力部３３、通信部３４等から構成され、各種メディア読取部４１、通信部４２、モニタ４４、コインメック４５、ビルバリ４６、レシートジャーナル処理部４７、およびプリンタ４８、および製本機５０を制御する。
【００４５】
制御部３１は、プログラムの実行を行うCPU（Central Processing Unit）と、プログラム命令あるいはデータ等を格納するためのRAM（Random Access Memory）、ROM（Read Only Memory）等で構成される。制御部３１は、記憶部３２等に格納されたプログラムに従って、バス３５を介して接続された各装置を制御する。
【００４６】
記憶部３２には、制御部３１が実行するプログラム、プログラム実行に必要なデータ、OS（Operating System）等が格納される。プログラムは、例えば、画像入力プログラム、課金処理プログラム、レシート印刷処理プログラム、保守プログラム等である。データは、例えば、画像データや印刷データ等である。
【００４７】
プログラムのコードは、制御部３１により必要に応じて読み出され、RAMに移され、CPUに読み出されて各種機能として実行される。
【００４８】
入出力部３３は、記憶部３２に格納されているプログラム等の更新や、画像出力受付端末２の設定等を行うメンテナンス時に用いられる。
【００４９】
通信部３４は、通信制御装置、通信ポート等を有し、画像出力受付端末２とネットワーク５間の通信を媒介する通信インターフェースである。通信部３４は、ネットワーク５を介して画像出力受付端末２と他の外部装置間の通信制御を行う。
【００５０】
各種メディア読取部４１は、メディア投入口１２の各メディアの挿入口に対応して画像出力受付端末２内部に設けられ、挿入された記憶媒体（図示せず）に予め記憶されている画像データを読み込む。通信部４２は、通信口１３の各通信ポートに対応して設置されており、通信中の情報処理端末３に予め記憶されている画像データを読み込む。モニタ４４は、タッチパネル付ディスプレイ１１である。
【００５１】
コインメック４５、ビルバリ４６、レシートジャーナル処理部４７は、課金機能の役割を果たす。コインメック４５は、硬貨投入口１６に対応して画像出力受付端末２内部に設けられ、硬貨の入出力を管理する。ビルバリ４６は、紙幣挿入口１７に対応して画像出力受付端末２内部に設けられ、紙幣の入出力を管理する。
【００５２】
レシートジャーナル処理部４７は、レシート取出口１５に対応して画像出力受付端末２内部に設けられ、ユーザの徴収金額や注文内容に応じたレシートを印刷する。
【００５３】
プリンタ４８は、印刷物取出口１９に対応して画像出力受付端末２内部に設けられ、印刷物６を印刷する。プリンタ４８は、画像データを印刷する高解像度カラープリンタであり、熱転写プリンタあるいはインクジェット型など、プリンタの方式は特に問わない。印刷する記録媒体は、シート状またはロール状の紙である。
【００５４】
製本機５０は、ローラや搬送路等を有し、プリンタ４８で印刷された印刷物６を所定の製本方法で製本し、フォトブック等の製本物を作成して出力する。
【００５５】
なお、プリンタ４８は、画像出力受付端末２内部に設けられ、そこで印刷が行われるが、これに限らず、例えば、通信部３４およびネットワーク５を介して接続された図示せぬプリンタサーバに画像データを転送し、そこで印刷を行わせることも勿論可能である。
また、製本機５０も、画像出力受付端末２内部に設けられ、そこで製本が行われるが、これに限らず、例えば、図示せぬ搬送路を介して接続された外部の製本機に印刷物６を搬送し、そこで製本を行わせるようにしてもよい。
すなわち、画像出力受付端末２と、プリンタ４８、製本機５０はそれぞれ別体であってもよい。
【００５６】
（情報処理端末の構成）
図４は、本発明の実施の形態に係る情報処理端末３のハードウェアの構成例を示す図である。尚、図４のハードウェア構成は一例であり、用途、目的に応じて様々な構成を採ることが可能である。また、動画像サーバ４も基本的に情報処理端末３と同様の構成を有する。
【００５７】
情報処理端末３（動画像サーバ４）は、制御部６１、記憶部６２、メディア入出力部６３、通信制御部６４、入力部６５、表示部６６、周辺機器Ｉ／Ｆ部６７等が、バス６８を介して接続される。
【００５８】
制御部６１は、CPU、ROM、等で構成される。CPUは、記憶部６２、ROM、記録媒体等に格納されるプログラムをRAM上のワークメモリ領域に呼び出して実行し、バス６８を介して接続された各装置を駆動制御し、情報処理端末３が行う後述する処理を実現する。ROMは、不揮発性メモリであり、情報処理端末３のブートプログラムやBIOS（Basic Input/Output System）等のプログラム、データ等を恒久的に保持している。RAMは、揮発性メモリであり、記憶部６２、ROM、記録媒体等からロードしたプログラム、データ等を一時的に保持するとともに、制御部６１が各種処理を行う為に使用するワークエリアを備える。
【００５９】
記憶部６２は、フラッシュメモリやHDD（Hard Disk Drive）等であり、制御部６１が実行するプログラム、プログラム実行に必要なデータ、OS等が格納される。プログラムに関しては、OSに相当する制御プログラムや、後述する処理をユーザ端末３に実行させるためのアプリケーションプログラムが格納されている。これらの各プログラムコードは、制御部６１により必要に応じて読み出されてRAMに移され、CPUに読み出されて各種の手段として実行される。
【００６０】
メディア入出力部６３（ドライブ装置）は、データの入出力を行い、例えば、ＣＤドライブ（−ROM、−Ｒ、−ＲＷ等）、DVDドライブ（−ROM、−Ｒ、−ＲＷ等）等のメディア入出力装置を有する。
【００６１】
通信制御部６４は、通信制御装置、通信ポート等を有し、情報処理端末３とネットワーク５間の通信を媒介する通信インターフェイスであり、ネットワーク５を介して、他の装置間との通信制御を行う。
【００６２】
入力部６５は、データの入力を行い、例えば、キーボード、マウス等のポインティングデバイス、テンキー等の入力装置を有する。入力部６５を介して、情報処理端末３に対して、操作指示、動作指示、データ入力等を行うことができる。
【００６３】
表示部６６は、CRTモニタ、液晶パネル等のディスプレイ装置、ディスプレイ装置と連携して情報処理端末３のビデオ機能を実現するための論理回路等（ビデオアダプタ等）を有する。
【００６４】
周辺機器Ｉ／Ｆ（インターフェイス）部６７は、情報処理端末３に周辺機器を接続させるためのポートであり、周辺機器Ｉ／Ｆ部６７を介して情報処理端末３は周辺機器とのデータの送受信を行う。周辺機器Ｉ／Ｆ部６７は、USBやIEEE（The
Institute of Electrical and Electronics Engineers）１３９４やＲＳ−２３５Ｃ等で構成されており、通常複数の周辺機器Ｉ／Ｆを有する。周辺機器との接続形態は有線、無線を問わない。
【００６５】
バス６８は、各装置間の制御信号、データ信号等の授受を媒介する経路である。
【００６６】
（画像出力システムの処理）
図５は、第１の実施の形態の画像出力システム１における処理を説明するフローチャートである。第１の実施の形態では、動画像データが情報処理端末３の記憶部６２に記憶されているものとする。
【００６７】
ステップＳ１において、情報処理端末３の制御６１は、ユーザに動画像データと紐付けるプリント用の画像データを選択させるために、表示部６６に、複数の画像データのサムネイルを含むプリント画像選択画面１００を表示させる。
【００６８】
図６は、プリント画像選択画面１００の表示例を示す図である。
【００６９】
図６に示すように、プリント画像選択画面１００には、情報処理端末３の記憶部６２に記憶されている画像データＰ１〜Ｐ３のサムネイル１０１〜１０３が表示されている。ユーザによって、サムネイル１０１〜１０３のうち、いずれか１つが押下（選択）されると、選択されたことを示す表示に切り替わり（例えば、サムネイルの色調が変更される）、選択されているサムネイルが再度押下されると、選択が解除される。「選択」のボタン１０４は、サムネイル１０１〜１０３のいずれか１つが選択され、その選択を確定する場合に、ユーザによって押下される。「選択」のボタン１０４が押下されると、次の表示画面（図７）に切り替えられる。なお、プリント画像選択画面１００には、サムネイルが３つ表示されているが、１つ以上であれば、いくつでもよい。
【００７０】
図５の説明に戻る。ステップＳ２において、情報処理端末３の制御部６１は、ユーザによる入力部６５等を用いた操作により、プリント画像選択画面１００で、１つの画像データが選択されたことを検知する。
【００７１】
ステップＳ３において、情報処理端末３の制御部６１は、ユーザに、選択した画像データと紐付ける動画像データを選択させるために、表示部６６に、複数の動画像データのサムネイルを含む動画像選択画面１１０を表示させる。
【００７２】
図７は、動画像選択画面１１０の表示例を示す図である。
【００７３】
図７に示すように、動画像選択画面１１０には、情報処理端末３の記憶部６２に記憶されている動画像データが読み込まれ、動画像データＭ１〜Ｍ３のサムネイル１１１〜１１３が表示されている。ユーザによって、サムネイル１１１〜１１３のうち、いずれか１つが押下（選択）されると、選択されたことを示す表示に切り替わり（例えば、サムネイルの色調が変更される）、選択されているサムネイルが再度押下されると、選択が解除される。「選択」のボタン１１４は、サムネイル１１１〜１１３のいずれか１つが選択され、その選択を確定する場合に、ユーザによって押下される。なお、動画像データＭ１〜Ｍ３は、サムネイル１１１〜１１３で表示せず、再生して表示してもよい。また、動画像選択画面１１０には、サムネイルが３つ表示されているが、１つ以上であれば、いくつでもよい。
【００７４】
図５の説明に戻る。ステップＳ４において、情報処理端末３の制御部６１は、ユーザによる入力部６５等を用いた操作により、動画像選択画面１１０で、１つの動画像データが選択されたことを検知する。
【００７５】
ステップＳ５において、情報処理端末３の制御部６１は、通信制御部６４およびネットワーク５を介して動画像サーバ４に、ステップＳ４の処理で選択された動画像データをアップロードする。
【００７６】
ステップＳ６において、動画像サーバ４の制御部６１は、ネットワーク５を介して情報処理端末３から受信した動画像データを記憶部６２に保存し、その動画像データの保存場所である位置情報（ＵＲＬ）を、ネットワーク５を介して情報処理端末３に送信する。
【００７７】
ステップＳ７において、情報処理端末３の制御部６１は、動画像サーバ４から受信した動画像データの位置情報（ＵＲＬ）を含む２次元コードを生成する。２次元コードは、例えば、ＱＲコード（登録商標）などのビジブル（visible）コードであるが、電子透かし等を用いてもよい。
ステップＳ８において、情報処理端末３の制御部６１は、ステップＳ２の処理で選択された画像データに、ステップＳ７の処理で生成された２次元コードを合成する。
【００７８】
ステップＳ９において、情報処理端末３の制御部６１は、表示部６６に印刷注文画面（図示しない）を表示し、ユーザによる印刷注文（印刷指示）を検知する。
【００７９】
ステップＳ１０において、情報処理端末３の制御部６１は、ステップＳ８の処理で２次元コードが合成された画像データを、ネットワーク５を介して画像出力受付端末２に送信する。なお、情報処理端末３の制御部６１は、画像出力受付端末２の近距離から、Wifi、Bluetooth（登録商標）、赤外線通信等の通信方法を用いて、画像出力受付端末２へ直接、画像データを送信してもよい。
【００８０】
ステップＳ１１において、画像出力受付端末２の制御部３１は、ネットワーク５を介して情報処理端末３から送信されてきた、２次元コードが合成された画像データを受信する。
ステップＳ１２において、画像出力受付端末２の制御部３１は、ステップＳ１１の処理で受信した２次元コードが合成された画像データをプリンタ４８に送信し、印刷を指示する。プリンタ４８は、動画像データの位置情報を含む２次元コードが合成されたプリント対象画像の印刷を実行する。そして印刷された印刷物６は、印刷物取出口１９から排出され、ユーザに提供される。
以上で、第１の実施の形態の画像出力システム１における処理は終了である。
【００８１】
（情報処理端末の動画像再生処理）
図８は、情報処理端末３が実行する、印刷物６上の２次元コードを読み取り動画像データを再生する処理を説明するフローチャートである。
【００８２】
ステップＳ２１において、情報処理端末３の制御部６１は、ユーザからの指示に応じて、印刷物６上に印刷されている２次元コードを内蔵カメラで読み取る。
【００８３】
図９（ａ）は、情報処理端末３が印刷物６から２次元コード７を読み取る例を示す図である。図９（ａ）に示すように、２次元コード７が合成された画像データを印刷した印刷物６に対して、情報処理端末３をかざして、内蔵カメラで２次元コード７を読み取る。
【００８４】
ステップＳ２２において、情報処理端末３の制御部６１は、ステップＳ２１の処理で読み取った２次元コードから、動画像データの位置情報（ＵＲＬ）を取得する。
ステップＳ２３において、情報処理端末３の制御部６１は、ステップＳ２２の処理で取得された動画像データの位置情報(ＵＲＬ)に基づいて、ネットワーク５を介して動画像サーバ４にアクセスし、対応する動画像データの送信を要求する。
【００８５】
ステップＳ２４において、動画像サーバ４の制御部６１は、情報処理端末３から要求された動画像データを記憶部６２から読み出し、ネットワーク５を介して情報処理端末３に送信する。
【００８６】
ステップＳ２５において、情報処理端末３の制御部６１は、ネットワーク５を介して動画像サーバ４から送信されてきた動画像データを受信する。
ステップＳ２６において、情報処理端末３の制御部６１は、ステップＳ２５の処理で受信した動画像データを再生し、表示部６６に表示する。
【００８７】
図９（ｂ）は、情報処理端末３が動画像データ８を取得し再生する例を示す図である。図９（ｂ）に示すように、図９（ａ）の印刷物６の画像データに紐付られた（関係のある）動画像データ８が、情報処理端末３の表示部６６に再生される。
【００８８】
以上で、情報処理端末３が実行する、印刷物６上の２次元コードを読み取り動画像データを再生する処理は終了である。
【００８９】
なお、図８で説明した印刷物６上の２次元コードを読み取り動画像データを再生する処理は、図５で説明した２次元コードを画像データに合成して印刷物６の注文をする情報処理端末３と同じ情報処理端末３が行っても、異なる情報処理端末３が行ってもよい。
【００９０】
［本発明の第１の実施の形態における効果］
１．情報処理端末は、画像データと紐付けたい動画像データの位置情報を２次元コードにして画像データに合成することができ、画像出力受付端末は、画像データを印刷して印刷物とすることができる。すなわち、動画像データが紐付けられた印刷物を作成することができる。この場合において、紐付ける動画像データには、情報処理端末のユーザが撮影した動画像データなど使用することができる。
２．情報処理端末は、印刷物の２次元コードを読み取って、動画データを取得し再生することができる。すなわち、印刷物から紐付けられた動画像データを再生することができる。
３．また、情報処理端末のユーザは、印刷物を複数印刷して、知人等に配布すれば、印刷物に紐付られた動画像データを閲覧させることができる。
【００９１】
［第２の実施の形態］
次に、本発明の第２の実施の形態について説明する。
【００９２】
第２の実施の形態において、基本的な画像出力システム１の構成（図１）、画像出力受付端末２の構成（図２、図３）、情報処理端末３および動画像サーバ４の構成（図４）は、第１の実施の形態と同様である。
第１の実施の形態では、動画像データが情報処理端末３の記憶部６２に記憶されており、選択された動画像データを、ネットワーク５を介して動画像サーバ４にアップロードし、動画像サーバ４から動画像データの位置情報（ＵＲＬ）を受信し、その位置情報を含む２次元コードを生成して画像データに合成するようにしたが、第２の実施の形態では、動画像サーバ４に予め記憶されている動画像データを選択し、動画像データとともにその位置情報（ＵＲＬ）を受信して２次元コードを生成し、画像データに合成することを特徴とするものである。
【００９３】
図１０は、第２の実施の形態の画像出力システム１における処理を説明するフローチャートである。
【００９４】
ステップＳ３１において、情報処理端末３の制御部６１は、ユーザによる入力部６５等を用いた操作により、ネットワーク５を介して動画像サーバ４に対し、動画像データの送信を要求する。
【００９５】
ステップＳ３２において、動画像サーバ４の制御部６１は、情報処理端末３からの要求に応じて、記憶部６２から動画像データを読み出し、動画像データ及び動画像データの位置情報（ＵＲＬ）を、ネットワーク５を介して情報処理端末３に送信する。
【００９６】
ステップＳ３３において、情報処理端末３の制御部６１は、ユーザに動画像データと紐付けるプリント用の画像データを選択させるために、表示部６６に、複数の画像データのサムネイルを含むプリント画像選択画面１００（図６）を表示させる。
ステップＳ３４において、情報処理端末３の制御部６１は、ユーザによる入力部６５等を用いた操作により、プリント画像選択画面１００で、１つの画像データが選択されたことを検知する。
【００９７】
ステップＳ３５において、情報処理端末３の制御部６１は、ユーザに、選択した画像データと紐付ける動画像データを選択させるために、表示部６６に、複数の動画像データのサムネイルを含む動画像選択画面１１０（図７）を表示させる。ここでの動画像選択画面１１０には、ステップＳ３２の処理により動画像サーバ４から送信されてきた動画像データのサムネイル画像が表示される。
ステップＳ３６において、情報処理端末３の制御部６１は、ユーザによる入力部６５等を用いた操作により、動画像選択画面１１０で、１つの動画像データが選択されたことを検知する。
【００９８】
ステップＳ３７において、情報処理端末３の制御部６１は、ステップＳ３６の処理で選択された動画像データの位置情報（ＵＲＬ）を含む２次元コードを生成する。
ステップＳ３８において、情報処理端末３の制御部６１は、ステップＳ３４の処理で選択された画像データに、ステップＳ３７の処理で生成された２次元コードを合成する。
【００９９】
ステップＳ３９において、情報処理端末３の制御部６１は、表示部６６に印刷注文画面（図示しない）を表示し、ユーザによる印刷注文（印刷指示）を検知する。
【０１００】
ステップＳ４０において、情報処理端末３の制御部６１は、ステップＳ３８の処理で２次元コードが合成された画像データを、ネットワーク５を介して画像出力受付端末２に送信する。なお、情報処理端末３の制御部６１は、画像出力受付端末２の近距離から、Wifi、Bluetooth（登録商標）、赤外線通信等の通信方法を用いて、画像出力受付端末２へ直接、画像データを送信してもよい。
【０１０１】
ステップＳ４１において、画像出力受付端末２の制御部３１は、ネットワーク５を介して情報処理端末３から送信されてきた、２次元コードが合成された画像データを受信する。
ステップＳ４２において、画像出力受付端末２の制御部３１は、ステップＳ４１の処理で受信した２次元コードが合成された画像データをプリンタ４８に送信し、印刷を指示する。プリンタ４８は、動画像データの位置情報を含む２次元コードが合成されたプリント対象画像の印刷を実行する。そして印刷された印刷物６は、印刷物取出口１９から排出され、ユーザに提供される。
以上で、第２の実施の形態の画像出力システム１における処理は終了である。
【０１０２】
第２の実施の形態における情報処理端末３の動画像再生処理は、第１の実施の形態における動画像再生処理（図８）と同様である。
【０１０３】
［本発明の第２の実施の形態における効果］
情報処理端末は、画像データと紐付けたい動画像データの位置情報を２次元コードにして画像データに合成することができ、画像出力受付端末は、画像データを印刷して印刷物とすることができる。すなわち、動画像データが紐付けられた印刷物を作成することができる。この場合において、紐付ける動画像データには、ネットワーク上にある動画像サーバに予めアップロードされている動画像データなどを使用することができる。
また、第１の実施の形態における２．及び３．の効果も生じる。
【０１０４】
［変形例］
１．前述の画像出力システム１の処理では、プリント対象の画像データを、情報処理端末３の記憶部６２に記憶されている画像データの中から選択するようにしたが、これに限らず、例えば、情報処理端末３または動画像サーバ４に記憶されている動画像データの所定のフレームを切り出し、それをプリント対象の画像データとして利用するようにしてもよい。これにより、プリント対象の画像データに関連した動画像データを再生することができる。
また、動画像データの先頭フレームを画像データとすれば、動画像再生処理において、画像データが印刷された印刷物の画像から、動画像データが滑らかに再生されるような効果を生じるさせることができる。
【０１０５】
２．前述の画像処理システム１の処理において、画像データに２次元コードを合成した後、合成された画像データを記憶部６２（例えば、カメラロールなど）に保存できないようにしてもよい。これにより、第三者は、合成された画像データを印刷した印刷物からのみ、動画像データを取得して再生することができるようになる。
【０１０６】
３．また、前述の画像出力システム１の処理では、１枚の２次元コードが合成された印刷物６が印刷されるが、フォトブックを作成するようにしてもよい。この場合には、作成するフォトブックのレイアウトに合わせて、図５のステップＳ１〜Ｓ８までの処理（又は、図１０のステップＳ３３〜Ｓ３８までの処理）（レイアウトする画像データの選択処理、選択画像に紐付ける動画像データの選択処理、動画像データの位置情報を含む２次元コードの生成処理、２次元コードの画像データへの合成処理）を繰り返す。そして、フォトブックのレイアウトデータの作成後、そのデータの送信、及び印刷を行う。
【０１０７】
４．また、例えば、情報処理端末３は、動画像データの位置情報（ＵＲＬ）を含む２次元コードが合成された画像データを、ネットワーク５を介して、オンラインアルバムサービスを提供するサイトにアップロードし、第３者に公開することもできる。これにより、第３者が、自由に、動画像データの位置情報を含む２次元コードが合成された画像データを印刷注文したり、動画像データを再生したりすることができる。
さらに、オンラインアルバムの保存先（ＵＲＬ）を第三者に通知する際に、パスワード等を設定することで、アルバム公開を制限してもよい。
【０１０８】
以上、添付図面を参照しながら、本発明に係る情報処理端末等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１０９】
１………………画像出力システム
２………………画像出力受付端末
３………………情報処理端末
４………………動画像サーバ
６………………印刷物
７………………２次元コード
８………………動画像データ
３１、６１……制御部
１００…………プリント画像選択画面
１１０…………動画像選択画面
【図１】
2016062218.tif 000003
【図２】
2016062218.tif 000004
【図３】
2016062218.tif 000005
【図４】
2016062218.tif 000006
【図５】
2016062218.tif 000007
【図６】
2016062218.tif 000008
【図７】
2016062218.tif 000009
【図８】
2016062218.tif 000010
【図９】
2016062218.tif 000011
【図１０】
2016062218.tif 000012